(57)【要約】【課題】例えば、反射型液晶装置において、液晶の焼き付き、及びフリッカ等の表示不良を低減する。【解決手段】画素電極９ａ及び対向電極２１が相互に同じ材料（ＩＴＯ）を用いて構成されているため、画素電極９ａ及び対向電極２１の夫々と液晶との間に生じる接触電位が相互に等しくなり、液晶の焼き付き、及びフリッカ等の表示不良を低減することが可能である。加えて、接触電位の相違に起因して画素電極９ａが腐食してしまうことも低減できる。また、画素電極９ａの劣化に起因して生じる液晶の応答速度の低下、及び信頼性の低下も抑制できる。また、保持容量７０の容量値を大きく設定することも可能であるため、より一層表示性能を高めることが可能である。【選択図】図５
2009116215.tif 000002
【特許請求の範囲】
【請求項１】
第１基板と、
前記第１基板に対向するように配置された第２基板と、
前記第１基板上の表示領域を構成する複数の画素領域に各々形成されており、透明導電材料からなる複数の画素電極と、
前記複数の画素電極に対向するように、前記第２基板の両面のうち前記第１基板に臨む一方の面に形成されており、前記透明導電材料からなる対向電極と、
前記第１基板及び前記第２基板間に挟持された液晶層と、
前記画素領域において前記画素電極の下層側に形成され、且つ前記画素電極に電気的に接続された駆動素子と、
前記第１基板上において前記駆動素子及び前記画素電極間に形成されており、前記第１基板から見て前記第２基板の側から前記画素領域に入射する光を前記第２基板の側に反射する導電性反射膜と、
前記画素電極及び前記導電性反射膜間に形成された絶縁膜と
を備えたことを特徴とする液晶装置。
【請求項２】
前記導電性反射膜は、前記複数の画素領域に渡って延びていること
を特徴とする請求項１に記載の液晶装置。
【請求項３】
前記導電性反射膜に形成された開口部とを備え、
前記画素電極及び前記駆動素子は、前記開口部に形成された接続部を介して相互に電気的に接続されていること
を特徴とする請求項１又は２に記載の液晶装置。
【請求項４】
請求項１から３の何れか一項に記載の液晶装置を具備してなること
を特徴とする電子機器。
【発明の詳細な説明】
【技術分野】
【０００１】
本発明は、例えば、反射型液晶装置等の液晶装置、及びそのような液晶装置を具備してなるプロジェクタ等の電子機器の技術分野に関する。
【背景技術】
【０００２】
液晶装置の一例である透過型液晶装置では、光源から出射された光源光を液晶で変調することによって画像表示領域に所望の画像が表示される。より具体的には、各々透明な画素電極及び対向電極間に挟持された液晶をこれら電極間に加わる電圧に応じて駆動することによって、光を変調し、光透過率の変化に応じて画像の輝度が調整される。このような液晶装置では、画素電極の電位を保持するための保持容量が、画素領域の開口領域、即ち、不透明な配線或いは遮光膜によって囲まれた領域を避けるように設けられている。このため、透過型液晶装置では、保持容量の容量値を高めることを目的として保持容量のサイズを大きくしようとしても開口領域が狭められてしまい、画像表示領域の輝度を低下させてしまう。したがって、透過型液晶装置では、画像表示領域の輝度を保つために、保持容量の容量値が制限されてしまう。
【０００３】
一方、画素領域に入射した光を画素電極で反射することによって画像表示領域に画像を表示する反射型液晶装置では、画素電極が光を反射する反射膜として機能するため、画素電極の下層側において画素電極に重なるように保持容量を設けることが可能である。したがって、反射型液晶装置では、平面的に見て、画素電極と略同一サイズの保持容量を設けることが可能であり、透過型液晶装置より保持容量の容量値を大きくする設定することが可能である（例えば、特許文献１乃至５参照。）。
【０００４】
【特許文献１】特開平１１−５２４２９号公報
【特許文献２】特開２０００−３１５７３４号公報
【特許文献３】特開２００４−１２６７０号公報
【特許文献４】特開２００４−１２７９５号公報
【特許文献５】特開２００６−３５０１４８号公報
【発明の開示】
【発明が解決しようとする課題】
【０００５】
しかしながら、反射型液晶装置では、光反射膜として機能する画素電極に対向するように配置された対向電極は、通常、ＩＴＯ等の透明導電材料を用いて構成されており、光反射膜として機能するようにアルミニウム等の金属膜で構成された画素電極とは異なる材料を用いて構成されている。したがって、画素電極及び対向電極の夫々の構成材料の相違に起因して様々な問題が生じる。より具体的には、例えば、金属膜で構成された画素電極及びＩＴＯ等の透明導電材料で構成された対向電極の夫々と液晶との間に生じる接触電位が、各電極の構成材料の相違に応じて相互に異なり、液晶の焼き付き、及びフリッカ等の表示不良を招く問題点が生じる。加えて、画素電極及び対向電極の夫々が液晶に接する接触電位の相違に起因して、金属膜で構成された画素電極が腐食してしまう問題点も生じる。また、画素電極の劣化に起因して、液晶の応答速度の低下、及び信頼性の低下を招く問題点も生じる。これらの問題点を解消するために、例えば、画素電極上を保護する保護膜を形成した場合には、保護膜を形成した分、液晶の駆動電圧が高める必要が生じ、消費電力の増大、対向電極に供給される固定電位の増大（オフセット電圧の上昇）及び回路構成の煩雑化を招く。
【０００６】
よって、本発明は上記問題点等に鑑みてなされたものであり、例えば、反射型液晶装置において画素電極及び対向電極の構成材料の相違に起因して生じる問題点を解消可能な液晶装置、及びそのような液晶装置を具備してなる電子機器を提供することを課題とする。
【課題を解決するための手段】
【０００７】
本発明に係る液晶装置は上記課題を解決するために、第１基板と、前記第１基板に対向するように配置された第２基板と、前記第１基板上の表示領域を構成する複数の画素領域に各々形成されており、透明導電材料からなる複数の画素電極と、前記複数の画素電極に対向するように、前記第２基板の両面のうち前記第１基板に臨む一方の面に形成されており、前記透明導電材料からなる対向電極と、前記第１基板及び前記第２基板間に挟持された液晶層と、前記画素領域において前記画素電極の下層側に形成され、且つ前記画素電極に電気的に接続された駆動素子と、前記第１基板上において前記駆動素子及び前記画素電極間に形成されており、前記第１基板から見て前記第２基板の側から前記画素領域に入射する光を前記第２基板の側に反射する導電性反射膜と、前記画素電極及び前記導電性反射膜間に形成された絶縁膜とを備えている。
【０００８】
本発明に係る液晶装置によれば、第２基板は、例えば、ガラス基板等の透明基板であり、当該第２基板側から各画素領域に入射する光を遮らない基板材料で構成されている。
【０００９】
複数の画素電極の夫々は、ＩＴＯ等の透明導電材料を用いて構成されており、第１基板上の表示領域を構成するように、例えばマトリクス状に配列された複数の画素領域に形成されている。
【００１０】
対向電極は、例えば、配向膜及び液晶を介して画素電極に対向するように第２基板に形成されている。対向電極は、画素電極と同じＩＴＯ等の透明導電材料を用いて形成されて構成されている。したがって、本発明に係る液晶装置によれば、画素電極及び対向電極が相互に同じ材料を用いて構成されているため、画素電極及び対向電極の夫々と液晶との間に生じる接触電位が、相互に等しくなり、液晶の焼き付き、及びフリッカ等の表示不良を低減することが可能である。加えて、画素電極が腐食してしまうことも低減できる。また、画素電極の劣化に起因して生じる液晶の応答速度の低下、及び信頼性の低下も抑制できる。したがって、画素電極上を保護する保護膜を形成する必要もなく、保護膜を形成することによって生じる消費電力の増大、対向電極に供給される固定電位の増大（オフセット電圧の上昇）及び回路構成の煩雑化を招くこともない。
【００１１】
駆動素子は、例えば、画素スイッチング用素子として動作するトランジスタ素子であり、例えば、第１基板上に形成されたデータ線駆動回路及び走査線駆動回路の動作に応じてデータ線に供給される画像信号を走査信号の供給に応じてデータ線から画素電極に供給する。
【００１２】
導電性反射膜は、例えば、アルミニウム、銀等の金属膜であり、前記第１基板上において前記駆動素子及び前記画素電極間に形成されており、前記第１基板から見て前記第２基板の側から前記画素領域に入射する光を前記第２基板の側に反射する。このような導電性反射膜によって反射された光を液晶素子が変調することによって表示領域に所望の画像を表示可能になる。尚、このような導電性反射膜は、平面的に見て画素電極と同等のサイズ、或いはそれ以上のサイズに形成することが可能であり、後述するように、保持容量を高めることが可能になる。
【００１３】
絶縁膜は、前記画素電極及び前記導電性反射膜を一対の容量電極とする保持容量の誘電体膜を構成するように前記画素電極及び前記導電性反射膜間に延びている。したがって、本発明に係る液晶装置によれば、透過型液晶装置に設けられる保持容量に比べて相対的に保持容量の容量値を大きく設定することが可能であり、画素電極の電位を保持する保持性能が高められている。したがって、本発明に係る液晶装置によれば、透過型液晶装置に比べて、表示性能が高められている。
【００１４】
よって、本発明に係る液晶装置によれば、画素電極及び対向電極の夫々の構成材料が相互に異なることによって生じる各種問題点を一括で解消できることに加え、画素電極の電位の保持特性向上により、表示性能を高めることも可能である。
【００１５】
本発明に係る液晶装置の一の態様では、前記導電性反射膜は、前記複数の画素領域に渡って延びていてもよい。
【００１６】
この態様によれば、導電性反射膜は、例えば、対向電極に供給される固定電位と同電位の電位が供給される。また、対向電極は、表示領域全体に重なるように形成されるため、例えば、導電性反射膜を表示領域全体に重なるように形成することによって、対向電極及び導電性反射膜の夫々のサイズの相違に起因して対向電極及び導電性反射膜の夫々の電位に差が生じることを低減できる。したがって、画素電極及び導電性反射膜を一対の容量電極とする保持容量によって画素電極の電位が保持可能になり、液晶装置の表示性能を高めることが可能になる。
【００１７】
本発明に係る液晶装置の他の態様では、前記導電性反射膜に形成された開口部とを備え、前記画素電極及び前記駆動素子は、前記開口部に形成された接続部を介して相互に電気的に接続されていてもよい。
【００１８】
この態様によれば、開口部に形成された、例えばコンタクトホール等の接続部を介して画素電極及び駆動素子が相互に電気的に接続されていることによって、表示領域に重なる導電性反射膜の重なり部分の面積の減少を可能な限り抑制できる。加えて、導電性反射膜によってその下層側に設けられたトランジスタ素子等の駆動素子を射光できるため、光リーク電流を起因する表示性能の低下を抑制可能である。
【００１９】
本発明に係る電子機器は上記課題を解決するために、上述した本発明の液晶装置を備えている。
【００２０】
本発明に係る電子機器によれば、上述した本発明に係る液晶装置を具備してなるので、高品位の表示が可能な、フロントプロジェクタ或いはリアプロジェクタ等の投射型表示装置、携帯電話、電子手帳、ワードプロセッサ、ビューファインダ型又はモニタ直視型の表示装置、或いはビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００２１】
本発明のこのような作用及び他の利得は次に説明する実施形態から明らかにされる。
【発明を実施するための最良の形態】
【００２２】
以下、図面を参照しながら、本発明に係る液晶装置及び電子機器の各実施形態を説明する。
【００２３】
先ず、図１及び図２を参照しながら、本発明に係る液晶装置の一実施形態に係る液晶装置１の全体構成を説明する。図１は、本発明の「第１基板」の一例であるＴＦＴアレイ基板１０をその上に形成された各構成要素と共に、本発明の「第２基板」の一例である対向基板の側から見た液晶装置１の平面図であり、図２は、図１のＩＩ−ＩＩ´断面図である。本実施形態に係る液晶装置１は、駆動回路内蔵型のＴＦＴアクティブマトリクス駆動方式で駆動される反射型液晶装置である。
【００２４】
図１及び図２において、液晶装置１では、ＴＦＴアレイ基板１０及び対向基板２０が相互に対向配置されている。ＴＦＴアレイ基板１０及び対向基板２０間に液晶層５０が封入されており、ＴＦＴアレイ基板１０と対向基板２０とは、複数の画素領域で構成された、本発明の「表示領域」の典型例である画像表示領域１０ａの周囲に位置するシール領域に設けられたシール材５２により相互に接着されている。
【００２５】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のギャップ材が散布されている。
【００２６】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。尚、画像表示領域１０ａの周辺に位置する周辺領域が存在する。言い換えれば、本実施形態においては特に、ＴＦＴアレイ基板１０の中心から見て、この額縁遮光膜５３より以遠が周辺領域として規定されている。
【００２７】
液晶装置１は、データ線駆動回路１０１、及び走査線駆動回路１０４を備えている。周辺領域のうち、シール材５２が配置されたシール領域の外側に位置する領域において、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。走査線駆動回路１０４は、額縁遮光膜５３に覆われるように形成された複数の配線１０５によって相互に電気的に接続されている。
【００２８】
対向基板２０の４つのコーナー部には、ＴＦＴアレイ基板１０及び対向基板２０間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０及び対向基板２０間で電気的な導通をとることができる。
【００２９】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。液晶層５０は、例えば一種又は数種類のネマティック液晶を混合した液晶からなり、これら一対の配向膜間で、所定の配向状態をとる。
【００３０】
液晶装置１は、その動作時に、図中上側である対向基板２０側から液晶装置１に液晶層５０に入射した入射光を画素電極９ａによって対向基板２０側に向かって反射し、画像を表示する。
【００３１】
尚、図１及び図２に示したＴＦＴアレイ基板１０上には、これらのデータ線駆動回路１０１、走査線駆動回路１０４等の回路部に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等が形成されていてもよい。
【００３２】
次に、図３を参照しながら、画像表示領域１０ａにおける回路構成を説明する。図３は、本実施形態に係る液晶装置の画像表示領域における回路構成を示した回路図である。
【００３３】
図３において、液晶装置１の画像表示領域１０ａを構成するマトリクス状に形成された複数の画素部７２の夫々は、画素電極９ａ、本発明の「駆動素子」の一例であるＴＦＴ３０、及び液晶素子５０ａを備えている。ＴＦＴ３０は、画素電極９ａに電気的に接続されており、液晶装置１の動作時に画素電極９ａをスイッチング制御し、当該制御に応じて液晶素子５０ａを駆動する。画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００３４】
ＴＦＴ３０のゲートに走査線３ａが電気的に接続されており、液晶装置１は、所定のタイミングで、走査線３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して液晶に書き込まれた所定レベルの画像信号Ｓ１、Ｓ２、・・・、Ｓｎは、対向基板に形成された対向電極との間で一定期間保持される。
【００３５】
液晶層５０に含まれる液晶は、印加される電圧レベルにより分子集合の配向や秩序が変化することにより、光を変調し、階調表示を可能とする。ノーマリーホワイトモードであれば、各画素部の単位で印加された電圧に応じて入射光及び反射光に対する透過率が減少し、ノーマリーブラックモードであれば、各画素部の単位で印加された電圧に応じて入射光及び反射光に対する透過率が増加され、全体として液晶装置１からは画像信号に応じたコントラストをもつ光が出射される。保持容量７０は、画像信号がリークすることを防ぐために、画素電極９ａと対向電極との間に形成される液晶素子５０ａと並列に付加されている。尚、保持容量７０が有する一対の容量電極の一方は、画素電極９ａであり、他方は、後述する導電性反射膜である。
【００３６】
次に、図４及び図５を参照しながら、本実施形態に係る液晶装置１の画素部の具体的な構成を説明する。図４は、液晶装置１の画素部を拡大して示した平面図であり、図５は図４のＶ−Ｖ´断面図である。尚、図４では、画像表示領域１０ａを構成するようにマトリクス状に配列された複数の画素部のうち互いに隣接する４つの画素部を示している。
【００３７】
図４に示すように、画素部７２に設けられた画素電極９ａは、互いに間隔を隔てて配列されている。導電性反射膜７３は、複数の画素領域に渡って延びている。導電性反射膜７３を部分的に除去して形成された開口部９０には、後述する絶縁膜４３及び４４、並びにゲート絶縁膜４２を貫通する、本発明の「接続部」の一例であるコンタクトホール８２が形成されている。
【００３８】
図４及び図５において、画素部７２は、ＴＦＴアレイ基板１０上に各々形成されたＴＦＴ３０、保持容量７０、データ線６、走査線３ａ、画素電極９ａ、導電性反射膜７３、並びに、画素電極９ａ及び導電性反射膜７３間に延びる絶縁膜４４を有している。
【００３９】
ＴＦＴ３０は、下地膜４１上に形成された、例えば低温ポリシリコン層である半導体層１ａを有しており、当該半導体層１ａのうちゲート電極３ａ１に重なる部分がチャネル領域１ａ´となり、その両側の部分の夫々がソース領域１ｓ、及びドレイン領域１ｄである。チャネル領域１ａ´には、走査線３ａに電気的に接続されたゲート電極３ａ１からの電界によりチャネルが形成される。ソース領域１ｓは、不図示のデータ線６ａに電気的に接続されている。
【００４０】
ゲート電極３ａ１は、ポリシリコン膜等の導電膜や、例えば、Ｔｉ、Ｃｒ、Ｗ、Ｔａ、Ｍｏ、Ｐｄ、Ａｌ等の金属のうちの少なくとも一つを含む、金属単体、合金、金属シリサイド、ポリシリサイド、これらを積層したもの等によって形成されており、ソース領域１ｓ及びドレイン領域１ｄに重ならないようにゲート絶縁膜４２を介してチャネル領域１ａ´上に設けられている。
【００４１】
コンタクトホール８２は、ゲート絶縁膜４２、絶縁膜４３、及び絶縁膜４４を貫通するように形成されており、画素電極９ａ及びドレイン領域１ｄを相互に電気的に接続している。したがって、液晶装置１の動作時には、ゲート電極３ａ１に供給される走査信号Ｇｉに応じて、ＴＦＴ３０が非導通状態から導通状態に切り換えられ、ＴＦＴ３０及びコンタクトホール８２を介して画像信号に応じた電位が画素電極９ａに供給される。
【００４２】
画素電極９ａ及び対向電極２１の夫々は、ＩＴＯ等の透明導電材料で構成されており、その表面の夫々には、配向膜２２及び２４の夫々が形成されている。液晶層５０は、配向膜２２及び２４間に挟持されており、液晶層５０のうち各画素電極９ａに重なる部分が液晶素子５０ａの液晶部分を構成する。液晶層５０は、液晶装置１の動作時に、画素電極９ａ及び対向電極２１間に加わる電圧によって駆動される。対向基板２０側から各画素領域に入射した入射光は、導電性反射膜７３によって反射され、当該反射光は液晶層５０によって変調された後、画素領域から対向基板２０側に出射される。このような出射光により画像表示領域１０ａに所望の画像が表示される。
【００４３】
したがって、液晶装置１によれば、画素電極９ａ及び対向電極２１が相互に同じ材料を用いて構成されているため、画素電極９ａ及び対向電極２１の夫々と液晶との間に生じる接触電位が相互に等しくなり、液晶の焼き付き、及びフリッカ等の表示不良を低減することが可能である。加えて、接触電位の相違に起因して画素電極９ａが腐食してしまうことも低減できる。また、画素電極９ａの劣化に起因して生じる液晶の応答速度の低下、及び信頼性の低下も抑制できる。
【００４４】
よって、液晶装置１によれば、画素電極９ａ上を保護する保護膜を形成する必要もなく、保護膜を形成することによって生じる消費電力の増大、対向電極２１に供給される固定電位の増大（オフセット電圧の上昇）及び回路構成の煩雑化を招くこともない利点が得られる。
【００４５】
保持容量７０は、導電性反射膜７３及び画素電極９ａ、並びに導電性反射膜７３及び画素電極９ａ間に延びる絶縁膜４４から構成されている。
【００４６】
導電性反射膜７３は、不図示の配線を介して対向電極２１と共通の共通電源に電気的に接続されている。液晶装置１の動作時には、対向電極２１に供給される固定電位と同電位の電位が導電性反射膜７３に供給される。絶縁膜４４のうち画素電極９ａ及び導電性反射膜７３に重なる部分は、誘電体膜として機能し、画素電極９ａ及び導電性反射膜７３と共に保持容量７０を構成する。
【００４７】
したがって、液晶装置１によれば、入射光を反射する導電性反射膜７３が透明な画素電極９ａの下層側に形成されているため、平面的に見て導電性反射膜７３を画素電極９ａより大きく形成しておいても、画素領域において実質的に画像を表示できる領域を狭めることがない。したがって、液晶装置１によれば、透過型液晶装置に設けられる保持容量に比べて相対的に保持容量の容量値を大きく設定することが可能であり、保持容量７０の容量値を大きくすることによって画素電極９ａの電位を保持する保持性能が高められている。よって、液晶装置１によれば、透過型液晶装置に比べて、その表示性能を高めることが可能である。
【００４８】
このように本実施形態に係る液晶装置１によれば、画素電極及び対向電極の夫々の構成材料が相互に異なることによって生じる各種問題点を一括で解消できることに加え、画素電極の電位の保持特性向上により、表示性能を高めることも可能である。
【００４９】
特に、図４に示すように、液晶装置１では、導電性反射膜７３は、前記複数の画素領域に渡って延びているため、対向電極２１及び導電性反射膜７３の夫々の電位に差が生じることを低減できる。
【００５０】
より具体的には、対向電極２１は、表示領域全体に重なるように形成されるため、導電性反射膜７３を画像表示領域１０ａ全体に重なるように形成することによって、対向電極２１及び導電性反射膜７３の夫々のサイズの相違に起因して対向電極２１及び導電性反射膜７３の夫々の電位に差が生じることを低減できる。液晶装置１の動作時には、導電性反射膜７３には、対向電極２１に供給される固定電位と同電位の電位が供給されることから、画素電極９ａ及び対向電極２１間の液晶に印加される電圧と等しい電圧によって保持容量７０に電荷が蓄電される。このような電荷が蓄電された保持容量７０によれば、画素電極９ａの電位を画像信号に応じた電位に保持することが可能である。したがって、このような保持容量７０によれば、液晶装置１の表示性能を高めることが可能になる。
【００５１】
加えて、液晶装置１によれば、画素電極９ａ及びＴＦＴ３０が、開口部９０に形成されたコンタクトホール８２を介して相互に電気的に接続されているため、画像表示領域１０ａに重なる導電性反射膜７３の重なり部分の面積の減少を可能な限り抑制でき、導電性反射膜７３の下層側に設けられたＴＦＴ３０を遮光することが可能である。よって、ＴＦＴ３０に発生する光リーク電流を低減でき、光リーク電流に起因する表示性能の低下を抑制可能である。
【００５２】
以上説明したように、本実施形態に係る液晶装置１によれば、金属膜で画素電極を形成した場合に生じる各種問題点を一括で解消できる。加えて、対向電極２１と異なる金属膜で構成された画素電極上を保護膜によって保護する場合に比べて、液晶の駆動電圧が上昇、これに伴う消費電力の増大、並びに対向電極に供給される固定電位の増大（オフセット電圧の上昇）及び回路構成の煩雑化を招くことなく高品位の画像表示が可能になる。
【００５３】
（電子機器）
次に、図６を参照しながら、上述の液晶装置をライトバルブとして用いた反射型プロジェクタを説明する。図６は、本実施形態に係る電子機器の一例である反射型プロジェクタの構成を示した図である。
【００５４】
図７において、プロジェクタ４００では、光源ランプ２００から出射された光（概ね白色光）は、クロスダイクロイックミラーからなる色分解ミラー２０１により青色光Ｂと赤色光Ｒ・緑色光Ｇに分光される。また、各光はミラー２０２を介して偏光ビームスプリッタ（ＰＢＳ）２０３に入射され、ＰＢＳ２０３によりＳ偏光光が色光変調用の反射型液晶ライトバルブ１００Ｂ，１００Ｒ，１００Ｇに入射される。入射された色光は、各ライトバルブによって変調された後、各ライトバルブから出射される。ＰＢＳ２０３では反射型液晶ライトバルブ１００Ｂ，１００Ｒ，１００Ｇから戻ってきたＳ偏光成分が反射しＰ偏光成分を透過する。従って、各ＰＢＳ２０３からは、液晶ライトバルブ１００Ｂ，１００Ｒ，１００Ｇから出射された光の偏光軸の回転程度に応じた光量の色光が透過してくる。この光量が、各色光に割り当てられた階調レベルに応じた光量（透過率）に相当する。各ＰＢＳ２０３を透過した色光は、色合成プリズム２０４内にＸ字状に形成された青色光反射・赤色光反射の波長選択反射層により、青色光Ｂと赤色光Ｒが反射され、緑色光Ｇが透過されて、カラー光が合成されて射出される。このカラー光を投射レンズ２０５によりスクリーン２０６に画像が投射される。本実施形態に係るプロジェクタ４００によれば、上述の液晶装置を具備してなるので、表示性能及び信頼性の両方を向上可能に構成されていることになる。
【図面の簡単な説明】
【００５５】
【図１】本実施形態に係る液晶装置をその上に形成された各構成要素と共に対向基板の側から見た平面図である。
【図２】図１のＩＩ−ＩＩ´断面図である。
【図３】本実施形態に係る液晶装置の画像表示領域における回路構成を示した回路図である。
【図４】本実施形態に係る液晶装置の一部を拡大して示した平面図である。
【図５】図４のＶ−Ｖ´断面図である。
【図６】本実施形態に係る電子機器の構成を示した図である。
【符号の説明】
【００５６】
１・・・液晶装置、１０・・・ＴＦＴアレイ基板、２０・・・対向基板、９ａ・・・画素電極、５０・・・液晶層、５０ａ・・・液晶素子、７３・・・導電性反射膜、９０・・・開口部、４００・・・プロジェクタ
【図１】
2009116215.tif 000003
【図２】
2009116215.tif 000004
【図３】
2009116215.tif 000005
【図４】
2009116215.tif 000006
【図５】
2009116215.tif 000007
【図６】
2009116215.tif 000008